(57)【要約】  発電装置の発電の際に作業者が発電作業をし易く、又、時間的・身体的負担を低減でき、用途等を理解されない方の安全を確保できるベッド装置を提供する。  第２の電源経路５８の入力側の端部が中継ボックス５０に設けられ、この中継ボックス５０に設けた第２の電源経路５８の入力側の端部に手動発電装置５２の第１の電源経路５２ｄの出力側の端部がプラグ等で接続可能であって、第１の電源経路５２ｄと第２の電源経路５８とが接続状態で前記手動発電装置５２によって発電したときに電源使用機器の背動作用電動アクチュエータ３１を作動可能な構成である。
2013187412.tif 000002
【特許請求の範囲】
【請求項１】
電源によって作動する電源使用機器を設けたベッド装置において、
電源を手動発電装置によって供給可能であって、前記電源使用機器に電源を伝える電源経路の少なくとも端部をベッド装置のヘッド側、サイド側、又はフット側のいずれかの外側に面した箇所に設けたことを特徴とするベッド装置。
【請求項２】
手動発電装置がベッド装置の外部に設けられ、
電源経路には、前記手動発電装置に繋げる第１の電源経路と、単数又は複数の電源使用機器に電源を供給するための単数又は複数の第２の電源経路とが設けられており、
前記単数又は複数の第２の電源経路の入力側の端部が中継ボックスに設けられ、この中継ボックスに設けた第２の電源経路の入力側の端部に前記第１の電源経路の出力側の端部が接続可能であって、第１の電源経路と第２の電源経路とが接続状態で前記手動発電装置によって発電したときに電源使用機器を作動可能な構成であり、
前記中継ボックスは、ベッド装置のヘッド側、サイド側、又は、フット側のいずれかの水平方向外側に面し使用者の手が届く箇所に設けたことを特徴とする請求項１記載のベッド装置。
【請求項３】
複数の電源使用機器を有し、
前記中継ボックスに、複数の電源使用機器にそれぞれ接続された複数の第２の電源経路の入力側の端部を設け、
前記第１の電源経路の出力側を複数の第２の電源経路の入力側の端部のいずれかに選択的に接続可能であって、第１の電源経路と選択した第２の電源経路とが接続状態で前記外部の手動発電装置によって発電したときに、選択した第２の電源経路に繋げる電源使用機器に電源を供給可能な構成であることを特徴とする請求項２に記載のベッド装置。
【請求項４】
手動発電装置の第１の電源経路に繋げる第２の電源経路のオン／オフ、又は、第１の電源経路と複数の第２の電源経路との接続の切替えを行うためのスイッチ手段を中継ボックスに設けたことを特徴とする請求項２に記載のベッド装置。
【請求項５】
手動発電装置がベッド装置自体に設けられ、
該手動発電装置に繋げる第１の電源経路から単数又は複数の電源使用機器に電源を供給する第２の電源経路の端部に電源を供給可能に、該手動発電装置をベッド装置のヘッド側、サイド側、又はフット側のいずれかの外側に面した箇所に設けたことを特徴とする請求項１に記載のベッド装置。
【請求項６】
手動発電装置を発電作動させるためのハンドルをベッド装置に収納自在とし、かつ、該ハンドル使用時に手動発電装置の外部から当該ハンドルを回転操作可能にしたことを特徴とする請求項５に記載のベッド装置。
【請求項７】
複数の電源使用機器を有し、
単数又は複数の手動発電装置の第１の電源経路の出力側を複数の第２の電源経路の端部のいずれかに選択的に接続可能であって、
第１の電源経路と選択した第２の電源経路とが接続状態で前記手動発電装置によって発電したときに、選択した第２の電源経路に繋がる電源使用機器に電源を供給可能な構成であることを特徴とする請求項５又は６に記載のベッド装置。
【請求項８】
手動発電装置の第１の電源経路に繋げる第２の電源経路のオン／オフ、又は、第１の電源経路と複数の第２の電源経路との接続の切替えを行うためのスイッチ手段を手動発電装置に隣接させてベッド装置に設けたことを特徴とする請求項５又は６に記載のベッド装置。
【請求項９】
前記スイッチ手段が、操作用の操作部からメカニカルワイヤによって操作力を伝達し、伝達された操作力によって前記第２の電源経路のオン／オフ、又は、電源供給先の切替えを機械的に行う切替機構を有していることを特徴とする請求項４又は８に記載のベッド装置。
【請求項１０】
前記スイッチ手段が、操作用の操作部から電気的信号を伝達し、伝達された電気的信号によって前記電源経路のオン／オフ、又は、電源供給先の切替えをリレー回路によって行うものであることを特徴とする請求項４又は８に記載のベッド装置。
【請求項１１】
電源使用機器として、ベッド装置の所定部分を電動アクチュエータによって駆動する駆動部又はベッド装置の周辺機器を備えたことを特徴とする請求項１から１０のうちのいずれか１項に記載のベッド装置。
【発明の詳細な説明】
【技術分野】
【０００１】
本発明は、手動発電装置によって電源使用機器、例えば電動アクチュエータに電源を供給するようにしたベッド装置に関する。
【背景技術】
【０００２】
介護用や医療用等のベッド装置では、ベッド駆動部用の電動アクチュエータや被介護者や患者用（以下「被介護者等」という）測定機器等、各種の電源使用機器が設置されている。
介護者や看護師(以下「介護者等」という）が、ベッド装置上の被介護者等の姿勢について例えば上半身を起こせるように背ボトムを上げる背上げ動作や、脚部を楽にさせるため膝ボトム及び脚ボトムを上げる脚上げ動作をさせている。【０００３】
背上げ等のベッド装置の作動を機械式の手回しハンドルで行う場合、介護者等の作業負荷になり易いので、モータ作動が通常行われる。その場合の動作用電源には、一般に、特開２００８-２２０６０３号公報(「特許文献１」という）に記載のように、介護施設や病院等のベッド装置が設置される施設内の電源を用いる。【０００４】
又、施設内の電源は底面近くの壁に設置されている場合が多く、電源コードが床面に接触して衛生上好ましくない状態になることの防止や、電源コードをベッドの昇降装置に挟まれてしまう不具合の防止のために、特開２０１１−１６０８８８号公報（「特許文献２」という）によって、太陽電池（ソーラパネル）によって発電するコードレス電源装置が提案されている。【０００５】
しかしながら、太陽電池を用いた場合、日差しが受けにくい室内で十分な発電を確保できる設置場所にする必要から設置場所が制限され、又、発電電力を充電する（蓄える）バッテリーが必要となるので、大型化してしまう。
【先行技術文献】
【特許文献】
【０００６】
【特許文献１】特開２００８-２２０６０３号公報
【特許文献２】特開２０１１−１６０８８８号公報
【発明の概要】
【発明が解決しようとする課題】
【０００７】
そこで、発明者は、手回しの発電装置(以下「手動発電装置」という）をベッド装置の電源にすることを案出した。【０００８】
ただ、手動発電装置は介護者等が手回しにより駆動させるため、介護者等の作業負荷とならない箇所で手回し駆動する要請がある。【０００９】
又、電動アクチュエータ等の電源使用機器と手動発電装置の配線作業の時間的・身体的負担を低減する必要がある。単に、電動アクチュエータに手段発電装置を接続する場合、接続作業をする人（作業者）がベッドの下に潜り込み、専用のコネクタを接続させる必要があり、配線作業に時間的・身体的な負担があった。【００１０】
又、手動発電装置の用途や目的（以下「用途等」という）を理解されない方（子供や認知症患者）への御用防止による安全対策が必要である。
さらには、手動発電装置の電源供給先を、ベッド装置に設けた電動アクチュエータ以外の電源使用機器にも可能として、停電時にも各種測定機器に電源供給を可能とする要請もあった。【００１１】
本発明は、斯かる実情に鑑み、手動発電装置の発電の際に作業者が発電作業をし易く、又、時間的・身体的負担を低減でき、用途等を理解されない方の安全を確保できるベッド装置を提供しようとするものである。
【課題を解決するための手段】
【００１２】
本発明は、電源によって作動する電源使用機器を設けたベッド装置において、
電源を手動発電装置によって供給可能であって、前記電源使用機器に電源を伝える電源経路の少なくとも端部をベッド装置のヘッド側、サイド側、又はフット側のいずれかの外側に面した箇所に設けたことを特徴とするベッド装置である。【００１３】
本発明においては、手動発電装置がベッド装置の外部に設けられ、電源経路には、前記手動発電装置に繋げる第１の電源経路と、単数又は複数の電源使用機器に電源を供給するための単数又は複数の第２の電源経路とが設けられており、前記単数又は複数の第２の電源経路の入力側の端部が中継ボックスに設けられ、この中継ボックスに設けた第２の電源経路の入力側の端部に前記第１の電源経路の出力側の端部が接続可能であって、第１の電源経路と第２の電源経路とが接続状態で前記手動発電装置によって発電したときに電源使用機器を作動可能な構成であり、前記中継ボックスは、ベッド装置のヘッド側、サイド側、又は、フット側のいずれかの水平方向外側に面し使用者の手が届く箇所に設けたことが好適である。【００１４】
又、本発明においては、複数の電源使用機器を有し、前記中継ボックスに、複数の電源使用機器にそれぞれ接続された複数の第２の電源経路の入力側の端部を設け、前記第１の電源経路の出力側を複数の第２の電源経路の入力側の端部のいずれかに選択的に接続可能であって、第１の電源経路と選択した第２の電源経路とが接続状態で前記外部の手動発電装置によって発電したときに、選択した第２の電源経路に繋げる電源使用機器に電源を供給可能な構成であることが好適である。【００１５】
本発明においては、手動発電装置の第１の電源経路に繋げる第２の電源経路のオン／オフ、又は、第１の電源経路と複数の第２の電源経路との接続の切替えを行うためのスイッチ手段を前記中継ボックスに設けたことが好適である。【００１６】
又、本発明においては、手動発電装置がベッド装置自体に設けられ、
該手動発電装置に繋げる第１の電源経路から単数又は複数の電源使用機器に電源を供給する第２の電源経路の端部に電源を供給可能に、該手動発電装置をベッド装置のヘッド側、サイド側、又はフット側のいずれかの外側に面した箇所に設けたことが好適である。【００１７】
本発明においては、手動発電装置を発電作動させるためのハンドルをベッド装置に収納自在とし、かつ、該ハンドル使用時に手動発電装置の外部から当該ハンドルを回転操作可能にしたことが好適である。【００１８】
本発明においては、複数の電源使用機器を有し、単数又は複数の手動発電装置の第１の電源経路の出力側を複数の第２の電源経路の端部のいずれかに選択的に接続可能であって、第１の電源経路と選択した第２の電源経路とが接続状態で前記外部の手動発電装置によって発電したときに、選択した第２の電源経路に繋げる電源使用機器に電源を供給可能な構成であることが好適である。【００１９】
本発明においては、手動発電装置の第１の電源経路に繋げる第２の電源経路のオン／オフ、又は、第１の電源経路と複数の第２の電源経路との接続の切替えを行うためのスイッチ手段を手動発電装置に隣接させてベッド装置に設けたことが好適である。【００２０】
本発明においては、前記スイッチ手段が、操作用の操作部からメカニカルワイヤによって操作力を伝達し、伝達された操作力によって前記第２の電源経路のオン／オフ、又は、電源供給先の切替えを機械的に行う切替機構を有していることが好適である。【００２１】
本発明においては、前記スイッチ手段が、操作用の操作部から電気的信号を伝達し、伝達された電気的信号によって前記電源経路のオン／オフ、又は、電源供給先の切替えをリレー回路によって行うものであることが好適である。【００２２】
本発明においては、電源使用機器として、ベッド装置の所定部分を電動アクチュエータによって駆動する駆動部又はベッド装置の周辺機器を備えたことが好適である。
【発明の効果】
【００２３】
本発明のベッド装置によれば、電源によって作動する電源使用機器を設けたベッド装置において、ベッド装置の外部又はベッド装置自体に設けた手動発電装置によって電源使用機器に電源を供給するための電源経路の少なくとも端部がベッド装置のヘッド側、サイド側、又はフット側のいずれかの外側に面した箇所に設けたので、水平方向外側の面した箇所には、作業者が手を伸ばし易く、発電装置の発電の際に作業者が発電作業をし易い。又、作業し易くなるため時間的・身体的負担を低減できる。【００２４】
本発明において、手動発電装置がベッド装置の外部に設けられ、電源経路に、前記手動発電装置に繋げる第１の電源経路と、電動アクチュエータに電源を供給するための第２の電源経路とが設けられており、単数又は複数の第２の電源経路の入力側の端部が中継ボックスに設けられ、この中継ボックスに設けた第２の電源経路の入力側の端部に前記第１の電源経路の出力側の端部が接続可能であって、第１の電源経路と第２の電源経路とが接続状態で前記手動発電装置によって発電したときに電源使用機器を作動可能な構成であり、前記中継ボックスは、ベッド装置のヘッド側、サイド側、又は、フット側のいずれかの水平方向外側に面し使用者の手が届く箇所に設けて、接続作業を容易にすることができる。【００２５】
本発明において、複数の電源使用機器を有し、前記中継ボックスに、複数の電源使用機器にそれぞれ接続された複数の第２の電源経路の入力側の端部を設け、前記第１の電源経路の出力側を複数の第２の電源経路の入力側の端部のいずれかに選択的に接続可能であって、第１の電源経路と選択した第２の電源経路とが接続状態で前記外部の手動発電装置によって発電したときに、選択した第２の電源経路に繋げる電源使用機器に電源を供給可能な構成とすることによって、第１の電源経路を第２の電源経路を選択的に接続して作動させたい電源使用機器を簡易に選択して電源を供給でき、利便性が高い。【００２６】
又、本発明において、手動発電装置の第１の電源経路に繋げる第２の電源経路のオン／オフ、又は、第１の電源経路と複数の第２の電源経路との接続の切替えを行うためのスイッチ手段を前記中継ボックスに設けることによって、手動発電装置を扱う人が手動発電装置を中継ボックスに接続する作業と共にスイッチ手段を容易に操作でき、各部の作動を切替え易くなり、又、スイッチ手段が単独に操作されても手動発電装置が扱われなければ発電作動しないため、仮に、スイッチ手段の用途等を理解されない方が操作したとしてもそのような方の安全を確保できる。【００２７】
本発明において、手動発電装置がベッド装置自体に設けられ、該手動発電装置に繋げる第１の電源経路から単数又は複数の電源使用機器に電源を供給する第２の電源経路の端部に電源を供給可能に、該手動発電装置をベッド装置のヘッド側、サイド側、又はフット側のいずれかの外側に面した箇所に設けたことによって、手動発電装置をベッド装置に一体化でき、手動発電装置を設けたベッド装置をコンパクトにすることができる。【００２８】
又、本発明において、手動発電装置を発電作動させるためのハンドルをベッド装置に収納自在とし、かつ、該ハンドル使用時に手動発電装置の外部から当該ハンドルを回転操作可能にして、コンパクトな収納と取扱い易さを兼用できる。【００２９】
又、本発明において、複数の電源使用機器を有し、単数又は複数の手動発電装置の第１の電源経路の出力側を複数の第２の電源経路の端部のいずれかに選択的に接続可能であって、第１の電源経路と選択した第２の電源経路とが接続状態で前記手動発電装置によって発電したときに、選択した第２の電源経路に繋げる電源使用機器に電源を供給可能な構成にすることによって、第２の電源経路の選択接続で、電源使用機器を簡易に選択して作動できる。【００３０】
本発明において、手動発電装置の第１の電源経路に繋げる第２の電源経路のオン／オフ、又は、第１の電源経路と複数の第２の電源経路との接続の切替えを行うためのスイッチ手段を手動発電装置に隣接させてベッド装置に設けたことによって、手動発電装置を扱う人が手動発電装置の発電作業と共にスイッチ手段を容易に操作でき、各部の作動を切替え易くなり、又、スイッチ手段が単独に操作されても手動発電装置の扱いがなければ電源使用機器が作動しないため、仮に、スイッチ手段部の用途等を理解されない方が触ったとしてもそのような方の安全を確保できる。【００３１】
又、本発明において、前記スイッチ手段が、操作用の操作部からメカニカルワイヤによって操作力を伝達し、伝達された操作力によって前記第２の電源経路のオン／オフ、又は、電源供給先の切替えを機械的に行う切替機構を有することによって、切替え操作用のバッテリー等の電源を必要としないので停電時の対応が簡単にできる。【００３２】
又、本発明において、前記スイッチ手段が、操作用の操作部から電気的信号を伝達し、伝達された電気的信号によって前記電源経路のオン／オフ、又は、電源供給先の切替えをリレー回路によって行うものにすることによって軽い操作感で操作部を操作できるようにする等の優れた作用効果を奏する。【００３３】
本発明において、電源使用機器として、ベッド装置の所定部分を電動アクチュエータによって駆動する駆動部又はベッド装置の周辺機器を備えたことで、電動アクチュエータ以外の電源使用機器の作動を手動発電装置によって電源供給できる。
【図面の簡単な説明】
【００３４】
【図１】本発明の第１実施形態に係るベッド装置をフット側から見た説明図である。
【図２】同ベッド装置をヘッド側から見た説明図である。
【図３】同ベッド装置のボトムが平坦な状態の斜視説明図である。
【図４】同ベッド装置のボトムが背上げ及び脚上げ状態の斜視図である。
【図５】同ベッド装置を一方のサイド側から見た説明図である。
【図６】同ベッド装置を下側から底面を見た説明図である。
【図７】同ベッド装置を、図５と異なる他方のサイド側から見た説明図である。
【図８】同ベッド装置を上方から見た説明図である。
【図９】同ベッド装置と外部に設ける手動発電装置の説明図であって、（ａ）がハンドルを折りたたんだ状態、（ｂ）がハンドルを組み立てた使用状態、（ｃ）が中継ボックスに手動発電装置のケーブルを接続している状態の説明図である。
【図１０】同ベッド装置の電源供給経路を示す各配線例の説明図で、（ａ）が第１例、（ｂ）が第２例、（ｃ）が第３例をそれぞれ示している。
【図１１】同ベッド装置の中継ボックスの設置の変形例１であって、サイドレールに中継ボックスを埋め込んだ例の説明図である。
【図１２】本発明の第２実施形態に係るベッド装置を斜視した説明図である。
【図１３】同ベッド装置のフットボードの説明図で、（ａ）が平面図、（ｂ）が正面図、（ｃ）が手動発電装置の操作状態の説明図である。
【図１４】同ベッド装置の電源供給経路を示す各配線例の説明図で、（ａ）が第１例、（ｂ）が第２例、（ｃ）が第３例をそれぞれ示している。
【図１５】本発明の第３実施形態Ａに係る中継ボックスの構造例の説明図であり、（ａ）が中継ボックスのコネクタ差込み側の正面図、（ｂ）が同中継ボックスを側面図、（ｃ）が同中継ボックスの第２の電源経路を引き出される裏面図であり、（ｄ）が同中継ボックスをフレームに取り付けた状態の拡大説明図である。
【図１６】同ベッド装置の電源供給経路を示す各配線例の説明図で、（ａ）が第１例、（ｂ）が第２例、（ｃ）が第３例をそれぞれ示している。
【図１７】本発明の第３実施形態Ｂに係るベッド装置の電源供給経路を示す各配線例の説明図で、（ａ）が第１例、（ｂ）が第２例、（ｃ）が第３例をそれぞれ示している。
【図１８】同ベッド装置の手動発電装置の設けられたフットボードの説明図で、（ａ）が二つの手動発電装置がある場合、（ｂ）が単数の手動発電装置の場合、（ｃ）が外カバーを拡大したハンドル差込み穴の説明図である。
【図１９】本発明の第４実施形態Ａに係るベッド装置の中継ボックスの説明図で、（ａ）が斜視拡大図、（ｂ）が正面から見た図である。
【図２０】同ベッド装置の電源供給経路を示す各配線例の説明図で、（ａ）が第１例、（ｂ）が第２例、（ｃ）が第３例をそれぞれ示している。
【図２１】第４実施形態Ｂに係るベッド装置のフットボードにおける手動発電装置の設置場所周辺の説明図である。
【図２２】同ベッド装置の電源供給経路を示す各配線例の説明図で、（ａ）が第１例、（ｂ）が第２例、（ｃ）が第３例をそれぞれ示している。
【図２３】第４実施形態Ｂにおける手動発電装置の取り付けの変形例の説明図で、（ａ）がフットボードから外側カバーを外した状態の説明図、（ｂ）が外側カバーの取り付けた状態図である。
【発明を実施するための形態】
【００３５】
以下、本発明の実施形態について添付図面を参照して説明する。
【００３６】
図１〜図８が第１実施形態に係るベッド装置１の全体構成の各説明図、図９の（ａ）〜（ｃ）が同ベッド装置と外部に設ける手動発電装置の説明図、図１０（ａ）〜（ｃ）が同ベッド装置の電源供給経路を示す配線例（第１例〜第３例）の説明図、図１１が同ベッド装置の中継ボックスの設置の変形例であって、サイドレールに中継ボックスを埋め込んだ例の説明図である。
なお、図において、ベッド装置の利用者がベッドで横たわった場合のヘッド側（頭の向く側）をＨ方向、フット側（脚の向く側）をＦ方向として以下説明する。
【００３７】
ベッド装置１は、図４に示すように、台車４上にヘッド側及びフット側の二つの昇降リンク機構４ｈ、４ｆ（詳細の図示省略）を介してベッドフレーム３が昇降可能に支持されている。ベッドフレーム３は、ベッド装置１の両サイドで長手方向に沿って配置された柱状のフレーム部材（サイド側フレーム部分３Ｓ）間に、幅方向に沿って配置された複数のフレーム部材をほぼはしご状に設けた構成である。
【００３８】
又、図３〜図５に示すようにベッドフレーム３には、ボトム２が配置されており、ボトム２として、背ボトム２２、腰ボトム２４、膝ボトム２５、脚ボトム２６がヘッド側からフット側に順に分割して配置されている。
【００３９】
又、前記背ボトム２２は、腰ボトム２４側に連結され回動可能にベッドフレーム３に設置されている。又、膝ボトム２５及び脚ボトム２６は、回動可能にベッドフレーム３に設置されている。又、腰ボトム２４はそのヘッド側が背ボトムに連結され、全体が屈曲可能であってフット側端がベッドフレーム３のフット側に固定されている。
又、膝ボトム２５のヘッド側端が前記腰ボトム２４のフット側端に連結され、該膝ボトム２５及び脚ボトム２６がベッドフレーム３上に回動及び上下動可能に設けられている。なお、通常はボトム２の上にマットレスが載置されることとなるが、マットレスの図視は省略している。
【００４０】
又、台車４の各隅部近傍には、車輪５がそれぞれ配置されていて、床上で台車４（ベッド装置１）を任意の方向に移動させることができるようになっている。
【００４１】
ベッド装置１上の使用者の左右に位置して使用者がベッド上から落ちないように保持するサイドレールを着脱自在に設けることができる。
又、ベッド装置１には、ヘッド側端にはヘッドボード８が、フット側端にはフットボード９がそれぞれベッドフレーム３に固定して設けられている。
【００４２】
第１実施形態のベッド装置１は、通常は、ベッド装置１の設置される施設内のコンセント等の電源供給設備から商用電源が供給されて電源使用機器が駆動や作動する（「電動モード」という）ものである。そして、一部の電源使用機器にベッド装置１の外部に設けた電源供給源の手動発電装置５２（図９参照）から電源が供給されて作動する（「手動モード」という）構造である。なお、以降の第２実施形態等でも電動モード及び手動モードで電源供給が可能になっている。
【００４３】
図９は、第１実施形態のベッド装置１と外部に設けた電源供給源である手動発電装置の説明図であって、（ａ）がハンドルを折りたたんだ状態、（ｂ）がハンドルを組み立てた使用状態、（ｃ）が中継ボックスに手動発電装置のケーブルを接続している状態の説明図である。又、図１０は、同ベッド装置の電源経路や制御経路を示す配線例の説明図である。
【００４４】
第１実施形態のベッド装置１では、電源によって作動する電源使用機器として、可動部を駆動する駆動装置として複数の電動アクチュエータが設けられている。
具体的には、このベッド装置１では、図６に示すように、背ボトム２２を起伏動作させる（いわゆる背上げ動作、背下げ動作）背動作用電動アクチュエータ３１と、台車４に対してベッドフレーム３の昇降動作を行う昇降用電動アクチュエータ３２と、膝ボトム２５及び脚ボトム２６の昇降動作を行う脚動作用電動アクチュエータ３４とを設けている。
【００４５】
第１実施形態は、電源によって作動する電源使用機器を設けたベッド装置において、ベッド装置１の別体に設けた手動発電装置から一つの出力先（一つの電源使用機器）に電源を供給するものであるが、出力先に電源を伝える電源経路の少なくとも端部に中継ボックス５０（図１参照）を設け、この中継ボックス５０をベッド装置のヘッド側、サイド側、又は、フット側のうちのいずれかの位置に水平方向外側に面し使用者の手が届く箇所に設けたものである。
具体的には、第１実施形態では、複数の電動アクチュエータのうちで、背動作用電動アクチュエータ３１の電源を手動発電装置５２（図９参照）によって供給可能なものであって、前記背動作用電動アクチュエータ３１に電源を伝える電源経路の端部の中継ボックス５０をベッド装置１におけるフット側のフットボード９の外側に面した箇所に設けている。
【００４６】
つまり、第１実施形態のベッド装置１では、図１０に示すように、手動発電装置５２がベッド装置１の外部に適宜に設けられ、複数の電動アクチュエータのうちで、背動作用電動アクチュエータ３１の電源を手動発電装置５２によって供給可能なものである。
電源経路には、前記手動発電装置５２に繋げる第１の電源経路５２ｄと、単数の電源使用機器の背動作用電動アクチュエータ３１に電源を供給するための単数の第２の電源経路５８とが設けられている。
又、前記単数の第２の電源経路５８の入力側の端部が中継ボックス５０に設けられ、この中継ボックス５０に設けた第２の電源経路５８の入力側の端部に前記第１の電源経路５２ｄの出力側の端部がプラグ等で接続可能であって、第１の電源経路５２ｄと第２の電源経路５８とが接続状態で前記手動発電装置５２によって発電したときに電源使用機器の背動作用電動アクチュエータ３１を作動可能な構成である。
そして、前記中継ボックス５０は、図１、図３、図４に示すように、ベッド装置１のフット側のフットボード９で水平方向外側に面して使用者の手が届く箇所に突出又は埋め込む等して設けたものである。
なお、電源使用機器としていずれのものも本発明の範囲内であるが、特に、背動作用電動アクチュエータ３１がもっとも使用頻度が高いので手動発電装置５２から電源供給可能にして利便性を高めることができる。又、中継ボックス５０の設置場所もフットボード９以外の設置場所も本発明の範囲内であるが、ベッド装置１の使用者の足元から見ながら、操作できるため、第１実施形態では例示として中継ボックス５０の設置をフットボード９としている。
【００４７】
図９（ａ）〜（ｃ）は、手動発電装置５２の構造例の説明図である。
図９（ａ）に示すように、手動発電装置５２は、本体５２ａが片手で握れるように略棒状で先端部が球状を呈し、ハンドル（「クランク」とも称する）５２ｂを差し込んで嵌めるための差込み軸５２ｃが突出している。手動発電装置５２は、不使用時に持ち運びし易くするため、ハンドル５２ｂを差込み軸５２ｃから取り外し可能になっている。外したハンドル５２ｂはハンドルを畳んで、本体５２ａの側部に固定できる。本体５２ａから第１の電源経路５２ｄとしてのコードが出て、この第１の電源経路５２ｄの先端にプラグが設けられている。
【００４８】
図９（ｂ）に示すように、手動発電装置５２の使用時には、ハンドル５２ｂを軸５２ｃに嵌めて、手で持つハンドル部を展開する。
そして、図９（ｃ）に示すよう、第１の電源経路５２ｄのプラグを中継ボックス５０の差込みソケット５０ａに差込んで回転固定し接続する。この差込んだ接続状態で手動発電装置５２が発電した電源が、中継ボックス５０の電源経路５８を介して背動作用電動アクチュエータ３１（図１０参照）に供給される。
【００４９】
前記手動発電装置５２を作動させて発電させる場合、一方の手で本体５２ａを握り、他方の手でハンドル５２ｂを握り、ハンドル５２ｂを回して発電し、背動作用電動アクチュエータ３１を駆動させることができる。
【００５０】
第１実施形態の電源供給経路は、ベッド装置１に別体で外部に設けた手動発電装置５２の第１の電源経路５２ｄを中継ボックス５０に接続し、中継ボックス５０から第２の電源経路（電源ケーブル）５８を介して一つの出力先の例である背動作用電動アクチュエータ３１に前記手動発電装置５２で発電した電力を供給する。電源供給経路には、手動モードと電動モードの切替え用のスイッチ（手動／電動切替えスイッチ手段６１）を設ける等、種々に変形実施するものも第１実施形態の範囲内である。
【００５１】
図１０は、第１実施形態に包含される電源供給経路の各配線例の説明図で、（ａ）が第１例、（ｂ）が第２例、（ｃ）が第３例をそれぞれ示している。
【００５２】
図１０（ａ）に示す第１例では、ベッド装置１に設けたコントロールボックス４０から電動モード時に背動作用電動アクチュエータ３１と昇降用電動アクチュエータ３２と脚動作用電動アクチュエータ３４電源を供給できるようにそれぞれ電動モードの電源経路が繋がっているが、前記背動作用電動アクチュエータ３１への電動モード時の電源経路は電動ライン４０ａから中継ボックス５０を経由して第２の電源経路５８に向かうものである。
【００５３】
(1)中継ボックス５０内には、手動／電動切替えスイッチ手段６１が内蔵されている。
(2)この手動／電動切替えスイッチ手段６１は、メカニカルスイッチ又は電気的スイッチを用いる。
【００５４】
(3)手動／電動切替えスイッチ手段６１にメカニカルスイッチを用いた場合、一構成としては、手動発電装置５２の第１の電源経路５２ｄの給電プラグを中継ボックス５０のソケット５０ａに差込むことにより、コントロールボックス４０から延出する電動ライン４０ａから手動ライン（第２の電源経路５８）の切替えを行うことができる構造にできる。例えば、プラグ差込口のソケット５０ａ周辺にタクトスイッチ等を設けるなどして手動ライン／電動ラインの切替えを行う構造とする。
【００５５】
又、他の構成としては、手動／電動切替えスイッチ手段６１にロータリーやトグルスイッチなどの操作スイッチ部をむき出したものを中継ボックス５０に設ける等して、その操作スイッチ部の操作によって手動／電動切替えスイッチ手段６１が電動モードと手動モードとを切替えることができる。
【００５６】
(4)手動モード時の出力先は、一つの背動作用電動アクチュエータ３１としているが、一つの出力先を電動アクチュエータその他の各電源使用機器から適宜に選択した構成にできる。以下の第２例、第３例でも同様である。
【００５７】
図１０（ｂ）に示す第２例では、二つの中継ボックス（第１中継ボックス５０Ａ、第２中継ボックス５０Ｂ）を設けている。
【００５８】
(1)第１中継ボックス５０Ａは、アクチュエータ線３１ａ、コントロールボックス４０からの給電線（電動ライン４０ａ）、手動発電装置５２からの給電線（第２の電源経路５８）を集約しており、内部に手動／電動切替えスイッチ手段６１を有している。
(2)第２中継ボックス５０Ｂは手動発電装置５２からの第１の電源経路５２ｄの接続端のプラグを接続するためのプラグ差込口（ソケット５０ａ）を有している。第２中継ボックス５０Ｂはフットボード９に露出して設けている。
【００５９】
(3)前記手動／電動切替えスイッチ手段６１は、メカニカルスイッチ又は電気的スイッチとなっている。
(4)前記手動／電動切替えスイッチ手段６１をメカニカルスイッチ機構とした場合、手動発電装置５２の給電プラグの差込により電動ラインから手動ラインの切替えを行うことができる。例えば、プラグ差込口（ソケット５０ａ）周辺にタクトスイッチ等を設けて、前記手動／電動切替えスイッチ手段６１を電動モードから手動モードに切替える。
【００６０】
又、他の構成としては、手動／電動切替えスイッチ手段６１にロータリーやトグルスイッチなどの操作スイッチ部をむき出した（露出させた）ものを第２中継ボックス５０Ｂに設ける等して、その操作スイッチ部の操作で、第１中継ボックス５０Ａの手動／電動切替えスイッチ手段６１を電動モードと手動モードとに切替えることができる。
【００６１】
なお、第１中継ボックス５０Ａと第２中継ボックス５０Ｂが離れた箇所にあるため、第２中継ボックス５０Ｂへの操作力についてメカニカルワイヤ６６等により力を伝達させることによって、第１中継ボックス５０Ａ内のメカニカルスイッチである手動／電動切替えスイッチ手段６１のオン／オフを切替える。
【００６２】
図１０（ｃ）に示す第３例では、ベッド装置１に設けたコントロールボックス４０から電動モード時に背動作用電動アクチュエータ３１と昇降用電動アクチュエータ３２と脚動作用電動アクチュエータ３４電源を供給できるようにそれぞれ電動モードの電源経路が繋がっている。
【００６３】
前記背動作用電動アクチュエータ３１への電動ライン４０ａに、中継ボックス５０から延出された第２の電源経路５８に分岐ケーブル５８ｃによって接続されている。
手動発電装置５２が繋がった状態で電動動作させると第２の電源経路５８が電気的に接続状態であるため、手動発電装置５２側のモータも回転してしまうため、状況によっては意図しない作動に繋がる可能性がある。電動動作させる場合、手動発電装置５２を外しておくことが好ましい。
【００６４】
上記説明のように、第１実施形態では、中継ボックス５０から背ボトム２２用の背動作用電動アクチュエータ３１に電源経路(電源ケーブル）５８が配線されて、それを介して電源を供給するようになっている。
【００６５】
第１実施形態によれば、電源経路の端部の中継ボックス５０（第２例では５０Ｂ）がベッド装置１のフットボード９の外側に面した箇所で手の届き易い箇所に設けられているので、作業者が手を伸ばし易く、手動発電装置５２の発電の際に作業者が発電作業をし易い。又、発電作業し易くなるため時間的・身体的負担を低減できる。又、中継ボックス５０（５０Ｂ）の水平方向外側に面し使用者の手が届く箇所に設けているので、接続作業を容易にすることができる。
【００６６】
なお、手動発電装置５２を使用しない通常使用時（電動モード時）に、背動作用電動アクチュエータ３１と昇降用電動アクチュエータ３２と脚動作用電動アクチュエータ３４やその他の電源使用機器への電源供給経路は、室内の電源コンセントからの電源がコントロールボックス４０や図示しない中継ボックスを経由する電源経路を経て電源が供給され駆動可能になっている。
【００６７】
上記第１実施形態で中継ボックス５０をフットボード９に設けたのは本発明の一例であり、その他、中継ボックス５０をベッド装置１のフット側、ヘッド側、サイド側のうちのいずれかの部分で水平方向外側に面して使用者の手が届く箇所であれば適宜に配置することも本発明の範囲内である。
【００６８】
例えば中継ボックス５０の設置箇所をベッドフレーム３のフット側部分に設けることができ、又、図１１のベッド装置１のようにサイド側のサイドレール７に埋め込み（突出しても良い）で設けた変形例１とすることができる。
【００６９】
図１１に示す変形例１のベッド装置１は、両サイドに設けられたサイドレール７は、ベッドフレーム３の両サイド部分に側方開き可能に設けられ、ベッドからの使用者の転落を防止するためのものである。このサイドレール７には、中継ボックス５０の他、ベッド装置の制御モニタ７ａが設けられている。その他の構成は、図１〜図８に示す第１実施形態のベッド装置１と同様部分に同一符号を付して説明を略する。
【００７０】
次に、本発明の第２実施形態について図１２〜図１４によって説明する。
図１２が第２実施形態に係るベッド装置を斜視した説明図、図１３が同ベッド装置のフットボードの説明図で、（ａ）が平面図、（ｂ）が正面図、（ｃ）が手動発電装置の操作状態の説明図、図１４（ａ）〜（ｃ）が同ベッド装置の電源経路を示す配線例（第１例〜第３例）の説明図である。
【００７１】
第２実施形態に係るベッド装置１は、第１実施形態と基本構成は同様であり、ボトム２（背ボトム２２、腰ボトム２４、膝ボトム２５、脚ボトム２６）、ベッドフレーム３等の図１〜図１０と同様部分に同一符号を付している。なお、台車４や車輪５は図示を省略している。
【００７２】
第２実施形態は、ベッド装置１自体に一体に設けた手動発電装置から一つの出力先（一つの電源使用機器）に電源を供給するものであって、該手動発電装置に繋げる第１の電源経路から単数の電源使用機器に電源を供給する第２の電源経路の端部に電源を供給可能に、該手動発電装置をベッド装置のヘッド側、サイド側、又はフット側のいずれかの外側に面した箇所に設けたものである。
【００７３】
具体的には、第２実施形態に係るベッド装置１が、第１実施形態と異なる構成は、図１２〜図１４に示すように、中継ボックスを設けずに手動発電装置５２がベッド装置１自体の種々の箇所に設けることができるが、以下ではフットボード９に設けられたものを説明する。
【００７４】
そして、電源供給経路に関しては、該手動発電装置５２に繋げる第１の電源経路（図示省略）から単数の電源使用機器の背動作用電動アクチュエータ３１に電源を供給する第２の電源経路５８の端部に電源を供給可能に、該手動発電装置５２をベッド装置１のフット側のフットボード９の外側に面した箇所に水平方向外側から操作可能に設けたものである。
【００７５】
又、手動発電装置５２を発電作動させるためのハンドル５２ｂをベッド装置１に収納自在とし、かつ、使用時に手動発電装置５２の外部から当該ハンドル５２ｂを回転操作可能にしたものである。
【００７６】
具体的な手動発電装置５２の配置は、図１３（ａ）、（ｂ）に示すように、ベッド装置１のフット側のフットボード９に手動発電装置５２を内蔵し、手動発電装置５２（図９参照）が外側カバー６０で覆われている。外側カバー６０は、このフットボード９の縦方向ほぼ全体の長さにわたって縦向きに長い状態で取り付けられており、その外側カバー６０内に手動発電装置５２が縦向きにして設置されている。第２実施形態では外側カバーで覆われた手動発電装置５２の収容空間を中継ボックス７０と称する。
【００７７】
手動発電装置５２は、図９に示したものを使用しており、手動発電装置５２からハンドル５２ｂが着脱自在である。又、外側カバー６０の下部にハンドル５２ｂ収容用の凹部６０ａが形成され、外側カバー６０の上部に手動発電装置５２の軸５２ｃが露出する穴６０ｂが形成されている。手動発電装置５２の非使用時には、図１３（ｂ）に示すように、ハンドル５２ｂを凹部６０ａに嵌めて収納できるようにし、一方、該手動発電装置５２の使用時には、図１３（ｃ）に示すように、前記穴６０ｂから露出している軸５２ｃにハンドル５２ｂを嵌めて回転させて前記手動発電装置５２を発電できるようにしている。
【００７８】
第２実施形態のベッド装置１の電源供給経路は、ベッド装置１に一体に設けた手動発電装置から一つの出力先（一つの電源使用機器）に電源を供給するものである。
【００７９】
中継ボックス７０として手動発電装置５２から第２の電源経路（電源ケーブル）５８を介して一つの出力先の例である背動作用電動アクチュエータ３１に前記手動発電装置５２で発電した電力を供給する。電源供給経路には、手動モードと電動モードの切替え用のスイッチ（手動／電動切替えスイッチ手段６１）を設ける等、種々に変形実施するものも第２実施形態の範囲内である。
【００８０】
図１４は、第２実施形態に包含される電源供給経路の各配線例の説明図で、（ａ）が第１例、（ｂ）が第２例、（ｃ）が第３例をそれぞれ示している。
【００８１】
図１４（ａ）に示す第１例では、ベッド装置１に設けたコントロールボックス４０から電動モード時に背動作用電動アクチュエータ３１と昇降用電動アクチュエータ３２と脚動作用電動アクチュエータ３４電源を供給できるようにそれぞれ電動モードの電源経路が繋がっているが、前記背動作用電動アクチュエータ３１への電動モード時の電源経路は電動ライン４０ａから中継ボックス７０を経由して第２の電源経路５８に向かうものである。
【００８２】
(1)中継ボックス７０として手動発電装置５２がフットボード９内に組み込まれ、手動／電動切替えスイッチ手段６１も内蔵されている。
【００８３】
(2)この手動／電動切替えスイッチ手段６１は、メカニカルスイッチ又は電気的スイッチを用いる。
【００８４】
(3)手動／電動切替えスイッチ手段６１にメカニカルスイッチを用いた場合、一構成としては、手動発電装置５２のハンドル５２ｂを装着により、コントロールボックス４０からの電動ライン４０ａから手動ライン（第１の電源経路）の切替えを行う機構を有する。例えば、ハンドル５２ｂ装着口の周辺にタクトスイッチ等を設けるなどして手動ライン／電動ラインの切替えを行う構造とする。
【００８５】
又、他の構成としては、手動／電動切替えスイッチ手段６１にロータリーやトグルスイッチなどの操作スイッチ部をむき出したものを設ける等して、その操作スイッチ部の操作によって手動／電動切替えスイッチ手段６１が電動モードと手動モードとを切替えることができる。
【００８６】
(4)手動モード時の出力先は、一つの背動作用電動アクチュエータ３１としているが、一つの出力先を電動アクチュエータその他の各電源使用機器から適宜に選択した構成にできる。以下の第２例、第３例でも同様である。
【００８７】
図１４（ｂ）に示す第２例では、二つの中継ボックス７０Ａ、７０Ｂを設けている。これらの第１中継ボックス７０Ａと第２中継ボックス７０Ｂは互いに離れて設けられ、第１中継ボックス７０Ａは、第２の電源経路の途中に設けられ、又、第２中継ボックス７０Ｂは、フットボード９に手動発電装置５２を内蔵する機能等で設けられている。
【００８８】
(1)第１中継ボックス７０Ａは、アクチュエータ線３１ａ、コントロールボックス４０からの給電線（電動ライン４０ａ）、手動発電装置５２からの給電線（第２の電源経路５８）を集約しており、内部に手動／電動切替えスイッチ手段６１を有し、ベッド装置の適宜箇所に設けている。
【００８９】
(2)第２中継ボックス７０Ｂは手動発電装置５２及び手動／電動切替えスイッチ手段６１又は第１中継ボックス７０Ａのスイッチを駆動する操作部を有し、フットボード９に内蔵している。
【００９０】
(3)前記手動／電動切替えスイッチ手段６１は、メカニカルスイッチ又は電気的スイッチとなっている。
【００９１】
(4)手動／電動切替えスイッチ手段６１にメカニカルスイッチを用いた場合、一構成としては、手動発電装置５２のハンドル５２ｂの装着により、コントロールボックス４０から延出する電動ライン４０ａから手動ライン（第２の電源経路５８）の切替えを行う機構を有する。例えば、ハンドル５２ｂ装着口の周辺にタクトスイッチ等を設けるなどして手動ライン／電動ラインの切替えを行う構造とする。
【００９２】
又、他の構成としては、手動／電動切替えスイッチ手段６１にロータリーやトグルスイッチなどの操作スイッチ部をむき出したものを設ける等して、その操作スイッチ部の操作によって手動／電動切替えスイッチ手段６１が電動モードと手動モードとを切替えることができる。
【００９３】
なお、第１中継ボックス７０Ａと第２中継ボックス７０Ｂが離れた箇所にあるため、第２中継ボックス７０Ｂへの操作力をメカニカルワイヤ６６等により力を伝達させることに第１中継ボックス内のメカニカルスイッチである手動／電動切替えスイッチ手段６１のオン／オフを切替える。
【００９４】
図１４（ｃ）に示す第３例では、ベッド装置１に設けたコントロールボックス４０から電動モード時に背動作用電動アクチュエータ３１と昇降用電動アクチュエータ３２と脚動作用電動アクチュエータ３４電源を供給できるようにそれぞれ電動モードの電源経路が繋がっている。
【００９５】
(1)コントロールボックス４０から前記背動作用電動アクチュエータ３１に延出する電動ライン４０ａに、中継ボックス７０からの第２の電源経路５８が分岐ケーブル５８ｃによって接続されている。
【００９６】
手動発電装置５２が繋がった状態で電動動作させると第２の電源経路５８が電気的に接続状態であるため、手動発電装置５２側のモータも回転してしまうため、状況によっては意図しない作動に繋がる可能性があるので、ハンドル５２ｂを取り外しておくのが好ましい。
【００９７】
第２実施形態によれば、前記手動発電装置５２をベッド装置のフット側のフットボード９の外側に面した箇所に設けて外側から操作可能としたので、前記手動発電装置５２をベッド装置１に一体化でき、手動発電装置５２を設けたベッド装置１の構成をコンパクトにすることができる。
【００９８】
又、手動発電装置５２を発電作動させるためのハンドル５２ｂをベッド装置１に設けた外側カバー６０の凹部６０ａに収納自在とし、かつ、該ハンドル５２ｂの使用時に手動発電装置５２の外部から当該ハンドル５２ｂを回転操作可能にして、コンパクトな収納と取扱い易さを兼用できる。
【００９９】
なお、第２実施形態では、手動発電装置５２の設置場所をフット側のフットボード９としていたが、本発明では、該手動発電装置５２をベッド装置のヘッド側、サイド側、又はフット側のいずれかの外側に面した箇所に設ければ良く、上記のようにフットボード９に限定されないことはもちろんである。又、外側カバー６０を上下方向に縦長に形成していたが、この形状は適宜に設定でき、例えば横長に外側カバー６０を設けることができる。
【０１００】
次に、本発明の第３実施形態Ａについて説明する。
【０１０１】
図１５は第３実施形態Ａに係る中継ボックスの構造例の説明図であり、（ａ）が中継ボックスのコネクタ差込み側の正面図、（ｂ）が同中継ボックスを側面図、（ｃ）が同中継ボックスの第２の電源経路を引き出される裏面図であり、（ｄ）が同中継ボックスをフレームに取り付けた状態の拡大説明図である。図１６（ａ）〜（ｃ）は、同ベッド装置の配線例（第１例〜第３例）の説明図である。ベッド装置１の構成は図１〜図８に示したものと同様のため図視を省略する。
【０１０２】
この第３実施形態Ａでは、手動発電装置がベッド装置の外部に設けられ、電源経路には、前記手動発電装置に繋げる第１の電源経路と、複数の電源使用機器に電源を供給するための単数又は複数の第２の電源経路とが設けられており、前記複数の第２の電源経路の入力側の端部が中継ボックスに設けられ、この中継ボックスに設けた第２の電源経路の入力側の端部に前記第１の電源経路の出力側の端部が接続可能であって、第１の電源経路と第２の電源経路とが接続状態で前記手動発電装置によって発電したときに電源使用機器を作動可能な構成であり、前記中継ボックスは、ベッド装置のヘッド側、サイド側、又は、フット側のいずれかの水平方向外側に面し使用者の手が届く箇所に設けたものである。
【０１０３】
具体的には、第３実施形態Ａのベッド装置１は、複数の電動アクチュエータを有し、そのうち背動作用電動アクチュエータ３１及び脚動作用電動アクチュエータ３４の二つ（複数の例）のもののうちからいずれかに電源を供給する。中継ボックス５０には、複数の電動アクチュエータ３１及び３４にそれぞれ接続された二つの電源経路５８ａ及び５８ｂの入力側の端部にそれぞれ差込みソケット５０ａ及び５０ｂを設けている（図１６参照）。
【０１０４】
手動発電装置５２の第１の電源経路５２ｄの出力側を差込みソケット５０ａ及び５０ｂのいずれかに選択的に接続可能であって、第１の電源経路５２ｄと選択した第２の電源経路５８ａ又は５８ｂが接続状態で、ベッド装置１の外部の手動発電装置５２によって発電したときに、選択した第２の電源経路５８に繋げる電源使用機器であるいずれかの電動アクチュエータ３１、３４に電源を供給可能な構成である。
【０１０５】
前記中継ボックス５０では、図１５（ａ）に示すように、背動作用電動アクチュエータ３１への電源供給用の差込みソケット５０ａと、脚動作用電動アクチュエータ３４への電源供給用の差込みソケット５０ｂとを有している。この中継ボックス５０の差込みソケット５０ａ、５０ｂを選択して手動発電装置５２を接続することにより、作動させる電動アクチュエータ３１、３４を選択して電源を供給し作動部位を選択して（背ボトムと膝ボトム及び脚ボトムとのいずれか）作動させることができる。
【０１０６】
第３実施形態Ａでは、中継ボックス５０に、図１５（ａ）に示すように、背動作用電動アクチュエータ３１への電源供給用の差込みソケット５０ａと、脚動作用電動アクチュエータ３４への電源供給用の差込みソケット５０ｂとを並列して設けている。この中継ボックス５０の差込みソケット５０ａ及び５０ｂのいずれかを選択して手動発電装置５２を接続することにより、背動作用電動アクチュエータ３１又は脚動作用電動アクチュエータ３４を選択して電源を供給し作動部位を選択（例えば背ボトムあるいは脚ボトム）して作動させることができる。
【０１０７】
又、第３実施形態Ａでは、図１５（ｂ）に示すように、中継ボックス５０がベッドフレーム３に合わせて側方視でＬ字形状を呈して、その背面側をベッドフレームに取り付けてネジ止めしている。又、図１５（ｄ）に示すように、サイド側等のベッドフレーム３に取り付けることができる。なお、図１５（ｃ）に示すように、中継ボックス５０の裏面では電動アクチュエータに向けたケーブルの引き出し口５４…が設けられて、ビス穴５６にネジを通してベッドフレーム３にネジ止めすることができる。中継ボックスの取り付けについては、取り付け用板金をネジやファスナーでフレーム等ベッド装置１の適宜箇所に固定して、その板金に中継ボックスをマグネットや粘着材で固定するようにしても良い。
【０１０８】
第３実施形態Ａでは、中継ボックス５０をベッド装置１のフット側やサイド側のベッドフレームに露出設置して水平方向外側に面し使用者の手が届く箇所に設けて、接続作業を容易にしたものである。
【０１０９】
第３実施形態Ａの電源供給経路は、ベッド装置に別体に設けた手動発電装置５２から複数の出力先（複数の電源使用機器）への電源経路の接続を切替えし、いずれかの出力先に電源を供給するものである。
【０１１０】
例えば、手動発電装置５２の第１の電源経路５２ｄの出力側を差込みソケット５０ａ及び５０ｂのいずれかに選択的に接続可能であって、第１の電源経路５２ｄと選択した第２の電源経路５８ａ、５８ｂ（図１６参照）とが接続状態で、ベッド装置１の外部の手動発電装置５２によって発電したときに、選択した第２の電源経路５８ａ、５８ｂに繋げる電源使用機器であるいずれかの電動アクチュエータ３１、３４に電源を供給可能な構成である。
【０１１１】
電源供給経路には、手動モードと電動モードの切替え用のスイッチ（手動／電動切替えスイッチ手段６１）を設ける等、種々に変形実施するものも第３実施形態Ａの範囲内である。
【０１１２】
図１６は、第３実施形態Ａに包含される電源供給経路の各配線例の説明図で、（ａ）が第１例、（ｂ）が第２例、（ｃ）が第３例をそれぞれ示している。
【０１１３】
図１６（ａ）に示す第１例では、ベッド装置１に設けたコントロールボックス４０から電動モード時に背動作用電動アクチュエータ３１と昇降用電動アクチュエータ３２と脚動作用電動アクチュエータ３４に電源を供給できるようにそれぞれ電動モードの電源経路（電動ライン４０ａ、４０ｂ）が繋がっているが、前記背動作用電動アクチュエータ３１、脚動作用電動アクチュエータ３４への電動モード時の電源経路は電動ライン４０ａ、４０ｂから中継ボックス５０を経由して電源モード電源経路と共用の第２の電源経路５８ａ、５８ｂに向かうものである。
【０１１４】
(1)中継ボックス５０内には、手動／電動切替えスイッチ手段６１が内蔵されている。
(2)この手動／電動切替えスイッチ手段６１は、メカニカルスイッチ又は電気的スイッチを用いる。
【０１１５】
(3)手動／電動切替えスイッチ手段６１にメカニカルスイッチを用いた場合、一構成としては、手動発電装置５２の第１の電源経路５２ｄの給電プラグを中継ボックス５０のソケット５０ａ又は５０ｂに差込むことにより、コントロールボックス４０からの電動ライン４０ａ又は４０ｂから手動ライン（第１の電源経路５２ｄ）の切替えを行うことができる構造にできる。例えば、プラグ差込口のソケット５０ａと５０ｂ周辺にタクトスイッチ等を設けるなどして手動ライン／電動ラインの切替えを行う構造とする。
【０１１６】
又、他の構成としては、手動／電動切替えスイッチ手段６１にロータリーやトグルスイッチなどの操作スイッチ部をむき出したものを中継ボックスに設ける等して、その操作スイッチ部の操作によって手動／電動切替えスイッチ手段６１が電動モードと手動モードとを切替えることができる。
【０１１７】
(4)手動モード時の出力先は、背動作用電動アクチュエータ３１と脚動作用電動アクチュエータ３４との二つとしているが、二つまたはそれ以上の出力先を電動アクチュエータその他の各電源使用機器から適宜に選択した構成にできる。以下の第２例、第３例でも同様である。
【０１１８】
図１６（ｂ）に示す第２例では、二つの中継ボックス５０Ａ、５０Ｂを設けている。これらの第１中継ボックス５０Ａと第２中継ボックス５０Ｂは互いに離れて設けられ、第２中継ボックス５０Ｂは、手動発電装置５２を接続する機能等のため例えばフットボード（図示省略）に設けられている。
【０１１９】
(1)第１中継ボックス５０Ａは、前記各アクチュエータ３１、３４に繋がるアクチュエータ線３１ａ、３４ａ、コントロールボックス４０からの給電線（電動ライン４０ａ、４０ｂ）、手動発電装置５２からの給電線（第２の電源経路５８ａ、５８ｂ）を集約しており、内部に手動／電動切替えスイッチ手段６１を有している。
【０１２０】
(2)第２中継ボックス５０Ｂは手動発電装置５２からの第１の電源経路５２ｄの接続端のプラグを接続するためのプラグ差込口（ソケット５０ａ及び５０ｂ）を有している。第２中継ボックス５０Ｂはフットボード（図示省略）に露出して設けている。
【０１２１】
(3)前記手動／電動切替えスイッチ手段６１は、メカニカルスイッチ又は電気的スイッチとなっている。
【０１２２】
(4)前記手動／電動切替えスイッチ手段６１をメカニカルスイッチ機構とした場合、手動発電装置５２の給電プラグの差込により電動ラインから手動ラインの切替えを行うことができる。例えば、プラグ差込口のソケット５０ａ及び５０ｂの周辺にタクトスイッチ等を設けるなどして差込みによって前記手動／電動切替えスイッチ手段６１を切替える。
【０１２３】
又、他の構成としては、手動／電動切替えスイッチ手段６１にロータリーやトグルスイッチなどの操作スイッチ部をむき出したものを第２中継ボックス５０Ｂに設ける等して、その操作スイッチ部の操作で、第１中継ボックス５０Ａの手動／電動切替えスイッチ手段６１が電動モードと手動モードとを切替えることができる。
【０１２４】
なお、第１中継ボックス５０Ａと第２中継ボックス５０Ｂが離れた箇所にあるため、第２中継ボックス５０Ｂへの操作力をメカニカルワイヤ６６等により力を伝達させることに第１中継ボックス５０Ａ内のメカニカルスイッチである手動／電動切替えスイッチ手段６１のオン／オフを切替える。
【０１２５】
図１６（ｃ）に示す第３例では、ベッド装置１に設けたコントロールボックス４０から電動モード時に背動作用電動アクチュエータ３１と昇降用電動アクチュエータ３２と脚動作用電動アクチュエータ３４とにそれぞれ電源を供給できるようにそれぞれ電動モードの電源経路（電動ライン）が繋がっている。
【０１２６】
(1)前記背動作用電動アクチュエータ３１への電動ライン４０ａに、中継ボックス５０からの第２の電源経路５８ａに分岐ケーブル５８ｃ１が接続されている。又、前記脚動作用電動アクチュエータ３４への電動ライン４０ｂに、中継ボックス５０からの第２の電源経路５８ｂに分岐ケーブル５８ｃ２が接続されている。
【０１２７】
なお、手動発電装置５２が繋がった状態で電動モードの動作をさせると第２の電源経路５８ａ、５８ｂが電気的に接続状態であるため、手動発電装置５２側のモータも回転してしまうため、状況によっては意図しない作動に繋がる可能性があるので、電動モードでは手動発電装置５２を接続しないことが望ましい。
【０１２８】
第３実施形態Ａによれば、第１の電源経路５２ｄと選択した第２の電源経路５８ａ、５８ｂとが接続状態で前記外部の手動発電装置５２によって発電したときに、選択した第２の電源経路５８ａ、５８ｂに繋げる電源使用機器の背動作用電動アクチュエータ３１又は脚動作用電動アクチュエータ３４のいずれかに電源を供給可能な構成とすることによって、第１の電源経路５２ｄを第２の電源経路５８ａ、５８ｂを選択的に接続して、作動させたい電源使用機器を簡易に選択して電源を供給でき、利便性が高い。
【０１２９】
なお、第３実施形態Ａにおいて、中継ボックス５０には、二つの差込みソケット５０ａ、５０ｂが二つの電動アクチュエータ３１、３４用のものであったが、本発明においては、その他、三つ以上の数のプラグを中継ボックスに設け、三つ以上のプラグそれぞれに三つ以上の電動アクチュエータへの第２の電源経路５８を接続して、いずれかのプラグに手動発電装置５２の第１の電源経路５２ｄを選択的に接続して電動アクチュエータを選択的に駆動するようにしても良い。
【０１３０】
又、中継ボックス５０はベッド装置１のフット側やサイド側のベッドフレーム３に露出設置したが、ヘッド側等の適宜箇所の水平方向外側に面し使用者の手が届く箇所に設けも良い。又、中継ボックス５０をベッド装置１に露出設置していたが、図１のようにフットボード９や図１１のようにサイドレール７やその他の適宜箇所に埋め込みで設置しても良い。
【０１３１】
次に、第３実施形態Ｂについて説明する。
【０１３２】
図１７は、第３実施形態Ｂに係るベッド装置の各配線例の説明図で、（ａ）が第１例、（ｂ）が第２例、（ｃ）が第３例をそれぞれ示している。又、図１８は、第３実施形態Ｂに係るベッド装置の手動発電装置の設けられたフットボードの説明図で、（ａ）が二つの手動発電装置がある場合、（ｂ）が単数の手動発電装置の場合、（ｃ）がハンドル差込み穴の説明図である。
【０１３３】
なお、図１２〜図１４に示す第２実施形態や図１５〜図１６に示す第３実施形態Ａと同様部分に同一符号を付している。
【０１３４】
この第３実施形態Ｂは、複数の電源使用機器を有し、単数又は複数の手動発電装置の第１の電源経路の出力側を複数の第２の電源経路の端部のいずれかに選択的に接続可能であって、第１の電源経路と選択した第２の電源経路とが接続状態で前記手動発電装置によって発電したときに、選択した第２の電源経路に繋げる電源使用機器に電源を供給可能な構成である。
【０１３５】
具体的には、この第３実施形態Ｂは、前記第３実施形態Ａと異なり、手動発電装置５２をベッド装置１自体に設け、該手動発電装置５２の電源出力の第１の電源経路からハンドル５２ｂの差込みによって選択した電源使用機器に第２の電源経路から電源を供給可能にしたものである。
【０１３６】
手動発電装置５２をベッド装置１のフットボード９内に組み込み、複数の出力先の電源使用機器として背動作用電動アクチュエータ３１及び脚動作用電動アクチュエータ３４の二つ（複数の例）のものを手動発電装置５２の発電によって電源を供給可能にしたベッド装置である。なお、手動発電装置５２は前記第２実施形態のものと同様、ベッド装置１のフット側のフットボード９に手動発電装置５２を縦向きにして内蔵し、外側カバーで覆われており、外側カバー６０で覆われた手動発電装置５２の収容空間を中継ボックス７０と称する。その他は、第２実施形態と同様である。
【０１３７】
なお、電源供給経路には、手動モードと電動モードの切替え用のスイッチ（手動／電動切替えスイッチ手段６１）を設ける等、種々に変形実施するものも第３実施形態Ｂの範囲内である。
【０１３８】
図１７（ａ）〜（ｃ）及び図１８（ａ）〜（ｃ）を参照して、第３実施形態Ｂに包含される電源供給経路の配線の各例（第１例〜第３例）を説明する。
【０１３９】
図１７（ａ）に示す第１例では、ベッド装置１に設けたコントロールボックス４０から電動モード時に背動作用電動アクチュエータ３１と昇降用電動アクチュエータ３２と脚動作用電動アクチュエータ３４電源を供給できるようにそれぞれ電動モードの電源経路が繋がっているが、前記それぞれの電動アクチュエータ３１、３４への電動モード時の電源経路は電動ライン４０ａ、４０ｂから中継ボックス７０を経由して第２の電源経路５８ａ、５８ｂに向かい電源を供給するものである。
【０１４０】
(1)中継ボックス７０として手動発電装置５２がフットボード９内に組み込まれ、フットボード９内には手動／電動切替えスイッチ手段６１も内蔵されている。
【０１４１】
(2)この手動／電動切替えスイッチ手段６１は、メカニカルスイッチ又は電気的スイッチを用いる。
【０１４２】
(3)手動／電動切替えスイッチ手段６１にメカニカルスイッチを用いた場合、一構成としては、手動発電装置５２のハンドル５２ｂの装着により、コントロールボックス４０から延出する電動ライン４０ａ、４０ｂから手動ラインへの切替えを行う機構を有する。例えば、ハンドル５２ｂ装着口の周辺にタクトスイッチ等を設けるなどして手動ライン／電動ラインの切替えを行う構造とする。
【０１４３】
又、他の構成としては、手動／電動切替えスイッチ手段６１にロータリーやトグルスイッチなどの操作スイッチ部をむき出したものを設ける等して、その操作スイッチ部の操作によって手動／電動切替えスイッチ手段６１が電動モードと手動モードとを切替えることができる。
【０１４４】
(4)手動モード時の出力先は、背動作用電動アクチュエータ３１と脚動作用電動アクチュエータ３４との二つとしているが、二つまたはそれ以上の出力先を電動アクチュエータその他の各電源使用機器から適宜に選択した構成にできる。以下の第２例、第３例でも同様である。
【０１４５】
(5)ハンドル５２ｂの差込み穴（差込み口）６０ｂを複数の出力先に対応して複数設ける。
【０１４６】
その一つの例として、図１８（ａ）に示すように、複数の出力先に応じて複数の手動発電装置５２をフットボード９に内蔵し、それぞれにハンドル５２ｄの差込み穴６０ｂ１、６０ｂ２を設けた構造を採用できる。
【０１４７】
図１８（ａ）に示すように、背動作用電動アクチュエータ３１用と脚動作用電動アクチュエータ３４用との手動発電装置５２を外側カバー６０Ａ、６０Ｂで覆った部分にそれぞれ設け、作動を所望する電動アクチュエータに電力を出力する手動発電装置５２の差込み用の穴６０ｂ１，６０ｂ２のいずれかを選択してハンドル５２ｂを差込んで発電させることによって所望の電動アクチュエータを作動させることができる。
【０１４８】
なお、各手動発電装置５２は外側カバー６０Ａ、６０Ｂで覆われて中継ボックス７０としている。又、外カバー６０Ａ、６０Ｂには、それぞれハンドル５２ｂを嵌める凹部６０ａを設けている。
【０１４９】
又、他の例として、図１８（ｂ）、（ｃ）に示すように、単数の手動発電装置をフットボード９に内蔵し、複数の出力先に応じて、ハンドル５２ｄの差込み用の穴を複数設けた構造を採用できる。
【０１５０】
具体的には、図１８（ｂ）、（ｃ）に示すように、外側カバー６０に背動作用のハンドル差込み用の穴６０ｂ１と脚動作用のハンドル差込み用の穴６０ｂ２を設けて、作動を所望する電動アクチュエータに対応した穴には、選択してハンドル５２ｂを差込むと手動発電装置５２の電源経路が対応する電動アクチュエータの電源経路に接続される機能を設けたものである。選択した穴にハンドル５２ｂを差込んで発電させることによって所望する電動アクチュエータを作動させることができる。
【０１５１】
図１７（ｂ）に示す第２例では、二つの中継ボックス７０Ａ、７０Ｂを設けている。これらの第１中継ボックス７０Ａと第２中継ボックス７０Ｂは互いに離れて設けられ、第２中継ボックス７０Ｂは、フットボード９に手動発電装置５２を内蔵する機能等で設けられている。
【０１５２】
(1)第１中継ボックス７０Ａは、前記各アクチュエータ３１、３４に繋がるアクチュエータ線３１ａ、３４ａ、コントロールボックス４０からの給電線（電動ライン４０ａ、４０ｂ）、手動発電装置５２からの給電線（第２の電源経路５８ａ、５８ｂ）を集約しており、内部に手動／電動切替えスイッチ手段６１を有し、ベッド装置の適宜箇所に設けている。
【０１５３】
(2)第２中継ボックス７０Ｂは手動発電装置５２及び手動／電動切替えスイッチ手段６１又は第１中継ボックス７０Ａのスイッチを駆動する操作部を有し、フットボード９に内蔵している。
【０１５４】
(3)前記手動／電動切替えスイッチ手段６１は、メカニカルスイッチ又は電気的スイッチとなっている。
【０１５５】
(4)手動／電動切替えスイッチ手段６１にメカニカルスイッチを用いた場合、一構成としては、手動発電装置５２のハンドル５２ｂを装着することにより、コントロールボックス４０からの電動ライン４０ａから手動ライン（第１の電源経路）の切替えを行う機構を有する。例えば、ハンドル５２ｂ装着口の周辺にタクトスイッチ等を設けるなどして手動ライン／電動ラインの切替えを行う構造とする。
【０１５６】
又、他の構成としては、手動／電動切替えスイッチ手段６１にロータリーやトグルスイッチなどの操作スイッチ部をむき出したものを設ける等して、その操作スイッチ部の操作によって手動／電動切替えスイッチ手段６１が電動モードと手動モードとを切替えることができる。
【０１５７】
なお、第１中継ボックス７０Ａと第２中継ボックス７０Ｂが離れた箇所にあるため、第２中継ボックス７０Ｂへの操作力をメカニカルワイヤ６６等により力を伝達させることに第１中継ボックス７０Ａ内のメカニカルスイッチである手動／電動切替えスイッチ手段６１のオン／オフを切替える。
【０１５８】
(5)ハンドル５２ｂの差込み穴（差込み口）を複数の出力先に対応して複数設け、ハンドルの差込みで出力先を選択して電源を供給することができる。複数の手動発電装置５２を設けた場合と単数の手動発電装置５２を設けた場合とで、詳細は上記第１例と同様であるので省略する。
【０１５９】
図１７（ｃ）に示す第３例では、ベッド装置１に設けたコントロールボックス４０から電動モード時に背動作用電動アクチュエータ３１と昇降用電動アクチュエータ３２と脚動作用電動アクチュエータ３４に電源を供給できるようにそれぞれ電動モードの電源経路（電動ライン４０ａ、４０ｂ）が繋がっている。
【０１６０】
(1)前記背動作用電動アクチュエータ３１への電動ライン４０ａに、中継ボックス７０からの第２の電源経路５８ａが分岐ケーブル５８ｃ１によって接続されている。前記脚動作用電動アクチュエータ３４への電動ライン４０ｂに、中継ボックス５０からの第２の電源経路５８ｂの分岐ケーブル５８ｃ２が接続されている。
【０１６１】
手動発電装置５２が繋がった状態で電動動作させると第２の電源経路５８ａが電気的に接続状態であるため、手動発電装置５２側のモータも回転してしまうため、状況によっては意図しない作動に繋がる可能性があるので、ハンドル５２ｂを取り外しておくのが好ましい。
【０１６２】
(2)ハンドル５２ｂの差込み穴（差込み口）を複数の出力先に対応して複数設け、ハンドルの差込みで出力先を選択して電源を供給することができる。複数の手動発電装置５２を設けた場合と単数の手動発電装置５２を設けた場合とで、詳細は上記第１例と同様であるので省略する。
【０１６３】
次に第４実施形態Ａについて説明する。
【０１６４】
図１９は第４実施形態Ａに係るベッド装置に設ける中継ボックスの斜視説明図、正面視した説明図、図２０（ａ）〜（ｃ）は同ベッド装置の電源供給経路を示す配線例（第１例〜第３例）の説明図である。
【０１６５】
この第４実施形態Ａに係るベッド装置は、手動発電装置がベッド装置の外部に設けられ、電源経路には、前記手動発電装置に繋げる第１の電源経路と、複数の電源使用機器に電源を供給するための複数の第２の電源経路とが設けられており、前記複数の第２の電源経路の入力側の端部が中継ボックスに設けられ、この中継ボックスに設けた第２の電源経路の入力側の端部に前記第１の電源経路の出力側の端部が接続可能であって、第１の電源経路と第２の電源経路とが接続状態で前記手動発電装置によって発電したときに電源使用機器を作動可能な構成であり、前記中継ボックスは、ベッド装置のヘッド側、サイド側、又は、フット側のいずれかの水平方向外側に面し使用者の手が届く箇所に設けたものである。そして、第１の電源経路と複数の第２の電源経路との接続の切替えを行うための選択スイッチ手段を中継ボックスに設けたものである。
【０１６６】
電源供給経路が、ベッド装置に別体に設けた手動発電装置５２から複数の出力先（複数の電源使用機器）への電源経路の接続を選択スイッチ手段６２で切替えて、いずれかの出力先に電源を供給可能にしている。
【０１６７】
具体的には、この第４実施形態Ａに係るベッド装置は、図１５〜図１６に示した第３実施形態Ａと複数の電源使用機器（例えば背動作用電動アクチュエータ３１及び脚動作用電動アクチュエータ３４）の電源経路に中継ボックス５０を有している点が同様であるが、第３実施形態Ａが差込みソケットの接続切替えで出力先を選択していたのとは異なり、図１９、図２０に示すように、中継ボックス５０に、第１の電源経路５２ｄと複数の第２の電源経路との接続の切替えを選択スイッチ手段６２によって行うことで出力先を選択する構造にしたものである。
【０１６８】
図２０（ａ）、（ｂ）、（ｃ）は、第４実施形態Ａに包含される電源供給経路の各配線例の説明図で、（ａ）が第１例、（ｂ）が第２例、（ｃ）が第３例をそれぞれ示している。
【０１６９】
図２０（ａ）に示す第１例では、ベッド装置１に設けたコントロールボックス４０から電動モード時に背動作用電動アクチュエータ３１と昇降用電動アクチュエータ３２と脚動作用電動アクチュエータ３４とに電源を供給できるように、それぞれ電動モードの電源経路が電動ライン４０ａ、４０ｂから中継ボックス５０を経由して手動モードと共用の第２の電源経路５８ａ、５８ｂに向かうものである。
【０１７０】
又、手動／電動切替えスイッチ手段６１を手動モードに切替えて、電動モード時の電源経路の電動ライン４０ａ、４０ｂを遮断し、手動ライン(第１の電源経路５２ｄ）への切替えを行う。手動発電装置５２の第１の電源経路５２ｄを共通した差込みソケット５０ａ等に接続し、選択スイッチ手段６２の選択切替えでこの第１の電源経路５２ｄを第２の電源経路５８ａ、５８ｂに選択して接続する構造になっている。
【０１７１】
なお、中継ボックス５０に手動／電動切替えスイッチ手段６１を内蔵した点、その手動／電動切替えスイッチ手段６１にメカニカルスイッチ又は電気的スイッチを用いている点は、図１６（ａ）に示した第３実施形態Ａの第１例と同様であり、図２０（ａ）で同様部分に同一符号を付している。なお、図１９では、中継ボックス５０に手動／電動切替えスイッチ手段６１と選択スイッチ手段６２の一例としてそのスイッチ操作部を露出して設けたものを示している。
【０１７２】
図２０（ａ）に示すように、第４実施形態Ａの第１例では、選択スイッチ手段６２は、手動モード時の出力先の選択を手動／電動切替えスイッチ手段６１と同様の、メカニカルスイッチ又は電気的スイッチを用いることができる。
【０１７３】
選択スイッチ手段６２に例えばロータリーやトグルスイッチなどの操作スイッチ部をむき出したものを中継ボックス５０に設ける等して、その操作スイッチ部の操作によって出力先を選択して切替えることができる。
【０１７４】
図１９に示すような、選択スイッチ手段６２のむき出した操作スイッチ部を中継ボックス５０に設けた一例では、手動発電装置５２の給電ケーブル（第１の電源経路５２ｄ）を接続する箇所（ソケット５０ａ）に隣接するので操作が容易でかつ出力先を簡単に確認できる。
【０１７５】
手動モード時の出力先は、背動作用電動アクチュエータ３１と脚動作用電動アクチュエータ３４との二つとしているが、二つまたはそれ以上の出力先を電動アクチュエータその他の各電源使用機器から適宜に選択した構成にできる。以下の第２例、第３例でも同様である。
【０１７６】
図２０（ｂ）に示す第４実施形態Ａの第２例では、二つの中継ボックス５０Ａ、５０Ｂを設けている。第１中継ボックス５０Ａと第２中継ボックス５０Ｂは互いに離れて設けられ、第２中継ボックス５０Ｂは、手動発電装置５２を接続する機能等のためフットボード９に設けられている。
【０１７７】
第４実施形態Ａの第２例は、第１中継ボックス５０Ａに手動／電動切替えスイッチ手段６１を内蔵し、その手動／電動切替えスイッチ手段６１にメカニカルスイッチ又は電気的スイッチを用いることができる点、図１６（ｂ）に示した第３実施形態Ａの第２例と同様であり、同様部分に同一符号を付して説明を略する。
【０１７８】
この第２例では、例えば、第２中継ボックス５０Ｂにプラグ差込み口（ソケット５０ａ）を一つ設け、選択スイッチ手段６２を第２中継ボックス５０Ｂ又は第１中継ボックス５０Ａに内蔵し、その選択スイッチ手段６２にメカニカルスイッチ又は電気的スイッチを用いることができるものである。
【０１７９】
選択スイッチの構造は種々に設定できるが、選択スイッチ手段６２に例えばメカニカルスイッチを用いた場合、その場合の手動／電動切替えスイッチ手段６１と同様に、選択スイッチ手段６２を第１中継ボックス５０Ａに設け、ロータリーやトグルスイッチなどの操作スイッチ部をむき出したものを第２中継ボックス５０Ｂに設ける等して、その操作スイッチ部の操作によって選択スイッチ手段６２によって出力先を選択することができる。
【０１８０】
この場合、第１中継ボックス５０Ａと第２中継ボックス５０Ｂが離れた箇所にあるため、第２中継ボックス５０Ｂの操作力をメカニカルワイヤ６６等により力を伝達させることによって、第１中継ボックス５０Ａ内のメカニカルスイッチである選択スイッチ手段６２の出力先を切替える。
【０１８１】
図２０（ｃ）に示す第４実施形態Ａの第３例では、ベッド装置１に設けたコントロールボックス４０から図２０の電動モード時に背動作用電動アクチュエータ３１と昇降用電動アクチュエータ３２と脚動作用電動アクチュエータ３４とにそれぞれ電源を供給できるようにそれぞれ電動モードの電源経路（電動ライン４０ａ、４０ｂ）が繋がっている。
【０１８２】
前記背動作用電動アクチュエータ３１への電動ライン４０ａに、中継ボックス５０から延出された第２の電源経路５８ａが分岐ケーブル５８ｃ１で接続されている。又、前記脚動作用電動アクチュエータ３４への電動ライン４０ｂに、中継ボックス５０から延出された第２の電源経路５８ｂが分岐ケーブル５８ｃ２によって接続されている。
【０１８３】
中継ボックス５０には選択スイッチ手段６２を設けて、第２の電源経路５８ａ、５８ｂの接続を切替えて、いずれの出力先、例えば上記のアクチュエータ３１、３４のいずれに手動発電装置５２の出力電源を供給するかを選択できる。
【０１８４】
又、中継ボックス５０の取り付けは、前記第１実施形態、第３実施形態Ａと同様にフットボード９に突出させたり、埋め込みにより取り付けたりすることができ、取り付け位置は、フットボード９にベッド装置１のヘッド側、サイド側、又は、フット側のいずれかの水平方向外側に面し使用者の手が届く箇所に突出又は埋め込みで設けることができる。
【０１８５】
その他、オン／オフの手動／電動切替えスイッチ手段６１及び選択スイッチ手段６２以外は図１６の第３実施形態と同様であり、同様部分に同一符号を付して説明を略する。
【０１８６】
なお、第４実施形態Ａ全体において、スイッチ手段は、オン／オフの手動／電動切替えスイッチ手段６１及び選択スイッチ手段６２の機能以外に、各アクチュエータ等の電源使用機器の作動を規制／規制解除するロック／アンロックのスイッチ等他の機能のスイッチを設けることも本発明の範囲内である。
【０１８７】
次に、本発明の第４実施形態Ｂについて図２１〜図２３によって説明する。
【０１８８】
図２１は、第４実施形態Ｂに係るベッド装置のフットボードにおける手動発電装置の設置場所周辺の説明図、図２２（ａ）〜（ｃ）が同ベッド装置の電源経路を示す配線例（第１例〜第３例）の説明図、図２３が手動発電装置の取り付けの変形例の説明図で、（ａ）がフットボードから外側カバーを外した状態の説明図、（ｂ）が外側カバーを取り付けた状態図である。
【０１８９】
第４実施形態Ｂに係るベッド装置１は、基本的構成が第４実施形態Ａと同様であり、配線図に関して、図２０と同様部分に同一符号を付している。
【０１９０】
第４実施形態のベッド装置１は、手動発電装置がベッド装置自体に設けられ、該手動発電装置に繋げる第１の電源経路から複数の電源使用機器に電源を供給する第２の電源経路の端部に電源を供給可能に、該手動発電装置をベッド装置のヘッド側、サイド側、又はフット側のいずれかの外側に面した箇所に設けたものである。そして、第１の電源経路と複数の第２の電源経路との接続の切替えを行うためのスイッチ手段を手動発電装置に隣接させて設けたものである。
【０１９１】
具体的には、図２１〜図２２に示すように、第４実施形態Ｂに係るベッド装置は、電源供給経路が、ベッド装置に一体に設けた手動発電装置５２から複数の出力先（複数の電源使用機器）への電源経路の接続を選択スイッチ手段６２で切替えて、いずれかの出力先に電源を供給するものである。
【０１９２】
前記手動発電装置５２がベッド装置１自体の適宜箇所例えばフットボード９に設けられ、該手動発電装置５２の出力側である第１の電源経路から複数の電源使用機器に電源を供給可能としたものである。複数の電源使用機器として背動作用電動アクチュエータ３１及び脚動作用電動アクチュエータ３４の二つ（複数の例）のものを前記手動発電装置５２の発電によって電源を供給可能にしたものである。第４実施形態Ｂでは外側カバー６０で覆われた手動発電装置５２の収容空間を中継ボックス７０と称する。
【０１９３】
又、図２１に示すように、第４実施形態Ｂのベッド装置１においては、図１３に示した第２実施形態に係るベッド装置と同様に、手動発電装置５２を発電作動させるためのハンドル５２ｂを外側カバー６０の下部の凹部６０ａに収納自在とし、かつ、該ハンドル５２ｂの使用時に手動発電装置５２の外部から当該ハンドル５２ｂを軸５２ｃに嵌めて回転操作して発電可能にしている。
【０１９４】
又、フットボード９の外側カバー６０には、手動発電装置５２の出力側である第１の電源経路を第２の電源経路５８ａ、５８ｂ（図２２参照）に接続するか否かオン／オフする手動／電動切替えスイッチ手段６１、及び、第１の電源経路５２ｄと二つ（複数の例）の第２の電源経路５８ａ、５８ｂとの接続の切替えを行うための選択スイッチ手段６２を手動発電装置５２に隣接して設けたものである。
【０１９５】
具体的な設置は、外側カバー６０には、穴６０ｂと凹部６０ａとの間の位置にオン／オフの手動／電動切替えスイッチ手段６１と選択スイッチ手段６２が外部から操作可能に設けられている。
【０１９６】
図２２は、第４実施形態Ｂに包含される電源供給経路の各配線例の説明図で、（ａ）が第１例、（ｂ）が第２例、（ｃ）が第３例をそれぞれ示している。
【０１９７】
図２２（ａ）に示す第１例では、ベッド装置１に設けたコントロールボックス４０から電動モード時に背動作用電動アクチュエータ３１と昇降用電動アクチュエータ３２と脚動作用電動アクチュエータ３４電源を供給できるように、それぞれ電動モードの電源経路が電動ライン４０ａ、４０ｂからフットボード９の中継ボックス７０を経由して手動モードと共用の第２の電源経路５８ａ、５８ｂに向かうものである。
【０１９８】
又、手動／電動切替えスイッチ手段６１を手動モードに切替えて、電動モード時の電源経路の電動ライン４０ａ、４０ｂを遮断し、手動ライン(手動発電装置の出力側の第１の電源経路）への切替えを行う。選択スイッチ手段６２の選択切替えでこの第１の電源経路を第２の電源経路５８ａ、５８ｂに選択して接続する構造になっている。
【０１９９】
なお、中継ボックス７０として手動発電装置５２がフットボード９内に組み込まれ、そのフットボード９内には手動／電動切替えスイッチ手段６１も内蔵されている。
【０２００】
この手動／電動切替えスイッチ手段６１にメカニカルスイッチ又は電気的スイッチを用いる。この手動／電動切替えスイッチ手段６１の点は、図１７（ａ）に示した第３実施形態Ｂの第１例と同様である。
【０２０１】
なお、図２１に、手動発電装置５２が組み込まれたフットボード９に手動／電動切替えスイッチ手段６１と選択スイッチ手段６２の一例としてそのスイッチ操作部を露出して設けたものを示している。
【０２０２】
図２２（ａ）に示すように、第４実施形態Ｂの第１例では、選択スイッチ手段６２は、手動モード時の出力先の選択を手動／電動切替えスイッチ手段６１と同様の、メカニカルスイッチ又は電気的スイッチを用いることができる。
【０２０３】
選択スイッチ手段６２に例えばロータリーやトグルスイッチなどの操作スイッチ部を外側カバー６０からむき出して設ける等して、その操作スイッチ部の操作によって出力先を選択して切替えることができる。
【０２０４】
図２１の場合、選択スイッチ手段６２のむき出した操作スイッチ部を外側カバー６０に設けることによって、手動発電装置５２のハンドル５２ｂ操作場所に隣接するので操作が容易でかつ出力先を簡単に確認できる。
【０２０５】
手動モード時の出力先は、背動作用電動アクチュエータ３１と脚動作用電動アクチュエータ３４との二つとしているが、二つまたはそれ以上の出力先を電動アクチュエータその他の各電源使用機器から適宜に選択した構成にできる。以下の第２例、第３例でも同様である。
【０２０６】
図２２（ｂ）に示す第４実施形態Ｂの第２例では、二つの中継ボックス７０Ａ、７０Ｂを設けている。第１中継ボックス７０Ａと第２中継ボックス７０Ｂは互いに離れて設けられ、第１中継ボックス７０Ａは、第２の電源経路の途中に設けられ、又、第２中継ボックス７０Ｂは、フットボード９に手動発電装置５２を内蔵する機能等で設けられている。
【０２０７】
(1)第１中継ボックス７０Ａは、前記各アクチュエータ３１、３４に繋がるアクチュエータ線３１ａ、３４ａ、コントロールボックス４０からの給電線（電動ライン４０ａ、４０ｂ）、手動発電装置５２からの給電線（第２の電源経路５８ａ、５８ｂ）を集約しており、内部に手動／電動切替えスイッチ手段６１を有し、ベッド装置の適宜箇所に設けている。
【０２０８】
(2)第２中継ボックス７０Ｂは手動発電装置５２及び手動／電動切替えスイッチ手段６１又は第１中継ボックス７０Ａのスイッチを駆動する操作部を有し、フットボード９に内蔵している。
【０２０９】
(3)前記手動／電動切替えスイッチ手段６１は、メカニカルスイッチ又は電気的スイッチとなっており、この手動／電動切替えスイッチ手段６１の点は、図１７（ｂ）に示した第３実施形態Ｂの第２例と同様であり、図２２（ｂ）の同様部分に同一符号を付して説明を略する。
【０２１０】
選択スイッチ手段６２の構造は種々に設定できるが、選択スイッチ手段６２に例えばメカニカルスイッチを用いた場合、その場合の手動／電動切替えスイッチ手段６１と同様に、選択スイッチ手段６２を第１中継ボックス７０Ａに設け、ロータリーやトグルスイッチなどの操作スイッチ部をむき出したものを第２中継ボックス７０Ｂに設ける等して、その操作スイッチ部の操作によって選択スイッチ手段６２によって出力先を選択することができる。
【０２１１】
この場合、第１中継ボックス７０Ａと第２中継ボックス７０Ｂが離れた箇所にあるため、第２中継ボックス７０Ｂの操作力をメカニカルワイヤ６６等により力を伝達させることによって、第１中継ボックス７０Ａ内のメカニカルスイッチである選択スイッチ手段６２の出力先を切替える。
【０２１２】
図２２（ｃ）に示す第４実施形態Ｂの第３例では、ベッド装置１に設けたコントロールボックス４０から電動モード時に背動作用電動アクチュエータ３１と昇降用電動アクチュエータ３２と脚動作用電動アクチュエータ３４とにそれぞれ電源を供給できるようにそれぞれ電動モードの電源経路（電動ライン４０ａ、４０ｂ）が繋がっている。
【０２１３】
前記背動作用電動アクチュエータ３１への電動ライン４０ａに、中継ボックス５０から延出された第２の電源経路５８ａが分岐ケーブル５８ｃ１で接続されている。又、前記脚動作用電動アクチュエータ３４への電動ライン４０ｂに、中継ボックス５０から延出された第２の電源経路５８ｂが分岐ケーブル５８ｃ２によって接続されている。
【０２１４】
中継ボックス７０には選択スイッチ手段６２を設けて、第２の電源経路５８ａ、５８ｂの接続を切替えて、いずれの出力先、例えば上記のアクチュエータ３１、３４のいずれに手動発電装置５２の出力電源を供給するかを選択できる。
【０２１５】
又、中継ボックス７０の設置は、前記第２実施形態、第３実施形態Ｂと同様にフットボード９に手動発電装置５２のハンドル用の穴６０ｂを露出させることができ、取り付け位置は、ベッド装置１のヘッド側、サイド側、又は、フット側のいずれかの水平方向外側に面すればいずれでも良い。
【０２１６】
なお、第４実施形態Ｂ全体において、スイッチ手段は、オン／オフの手動／電動切替えスイッチ手段６１及び選択スイッチ手段６２の機能以外に、各アクチュエータ等の電源使用機器の作動を規制／規制解除するロック／アンロックのスイッチ等他の機能のスイッチを設けることも本発明の範囲内である。
【０２１７】
又、本発明においては、第４実施形態Ｂの手動発電機５２や外側カバーの配置についても種々に変形実施できる。
【０２１８】
図２３は第４実施形態Ｂのベッド装置の変形例の説明図であり、（ａ）が外側カバーを外した図、（ｂ）が外観説明図である。
【０２１９】
図２３に示すように、この変形例では、フットボート９に設けた外側カバー６０の上部に横向きに手動発電装置５２のハンドル５２ｂを収納可能な横長の凹部６０ａと、穴６０ｂと、オン／オフの手動／電動切替えスイッチ手段６１と選択スイッチ手段６２が設けられている。その他の構成は図２１、図２２に示す第４実施形態Ｂと同様である。
【０２２０】
なお、変形例では、フットボード９から外側カバー６０を外した状態では、図２３（ａ）に示すように、フットボードには、概略Ｔ字形状の凹部６４が形成され、縦向きに手動発電装置５２がはめ込まれ電源ケーブルがその下部の穴６４ａからベッドの電動アクチュエータ３１、３４…側に向かう。
【０２２１】
なお、本発明において、前記第１実施形態〜第４実施形態Ｂのようにオン／オフのスイッチ手段、選択スイッチ手段を上記のようにメカニカルワイヤで機械的に接点を駆動する構成とする他、機械的又は電気的に種々の構成にできる。
【０２２２】
例えば、オン／オフのスイッチ手段、選択スイッチ手段等のスイッチ手段にリレー回路（接点型又は半導体型等の回路）を用いることができる。リレー回路を用いる場合、操作用の操作部に押しボタンやタッチスイッチ等の信号出力装置も設けそれからの電気的信号を信号線で伝達し、伝達された電気的信号によって前記電源経路のオン／オフ、又は、電源供給先の切替えをリレー回路によって行うものである。
【０２２３】
このようにリレー回路を用いれば、操作部に押しボタンやタッチスイッチを用いることができ、前記のメカニカルワイヤを用いた場合に比較して、軽い操作感で操作部を操作できる等の優れた作用効果を奏する。
【０２２４】
又、前記第１実施形態〜第４実施形態Ｂの各実施形態では、手動発電機で電源を供給する電気使用機器を背動作用電動アクチュエータ３１と脚動作用電動アクチュエータ３４を挙げて説明したが、本発明の電源使用機器はこれに限定されず、他の電動アクチュエータの電源としても用いることができ、又、駆動部が電動アクチュエータ以外の油圧アクチュエータの場合にその作動電源として手動発電装置の電源を供給することができ、さらには、電気使用機器に駆動部以外のものでベッド装置の周辺部に設置する電気使用機器、例えば、患者用各種計測装置への電源供給に使用することができる。
【０２２５】
又、前記第１実施形態〜第４実施形態Ｂの各実施形態では、手動発電装置５２をフットボードやサイドレールに設置する例を挙げたが、本発明においては、ベッド装置のヘッド側、サイド側、又はフット側のいずれかの外側に面した箇所に適宜（好ましくは作業者の手の届き易い）位置に設けることができる。
【０２２６】
又、第１実施形態、第３実施形態Ａ、第４実施形態Ａでは中継ボックスに別体の手動発電装置を接続していたが、手動発電装置は中継ボックスに一体にして設けても良い。又、手動発電装置を一体にする場合、ハンドルを一体しても脱着可能にしてもいずれでも良い。別体にして作業者のみが使用できるように安全性を確保することができる。
【０２２７】
又、第１実施形態、第３実施形態Ａ、第４実施形態Ａでは中継ボックスの取り付けがフットボードに埋め込み又は突出して設けていたが、本発明では、中継ボックスの設置はこれに限定されないことはもちろんであり、ベッドフレーム、他のベッドボードや柵、サイドレール、ＩＶポール（静脈内投与用ポール）等ベッド周辺に付属物に中継ボックスを設けることができる。
【０２２８】
又、本発明では、電源使用機器としてベッド装置の周辺機器も含み手動発電装置の電気的接続を可能とすることも含むものである。このようにすれば、施設内で電源がない場合に、手動発電装置から電源を供給して作動することができる。
【０２２９】
又、中継ボックスは、サイズ、材質が使用形態によって適切なものを選択でき、接続に用いる使用ポート数も適宜に選択できる。
【０２３０】
又、第２実施形態、第３実施形態Ｂ、第４実施形態Ｂでは手動発電装置をフットボードに埋め込んでいたが、フットボードの埋め込み位置や埋め込むボードの位置（例えばヘッドボードやサイドレール等）は本発明では問わないものである。又、ボード材質も本発明では、種々のものを用いることができる。手動発電装置をボードに埋め込むことにより、作業し易い高さに設置でき、ボードを支えないが作業でき、デザインが高くすることができる。
【産業上の利用可能性】
【０２３１】
本発明のベッド装置は、背動作機構や脚動作機構のある病院用や介護用の各種ベッド装置に利用することができる。
【符号の説明】
【０２３２】
１  ベッド装置
３  ベッドフレーム
４  台車
７  サイドレール
８  ヘッドボード
９  フットボード
２２  背ボトム
２４  腰ボトム
２６  脚ボトム
３１  背動作用電動アクチュエータ
３２  昇降用電動アクチュエータ
３４  脚動作用電動アクチュエータ
４０  コントロールボックス
５０  中継ボックス
５０ａ  中継ボックスのソケット
５２  手動発電装置
５２ａ  手動発電装置の本体
５２ｂ  手動発電装置のハンドル
５２ｃ  手動発電装置の軸
５２ｄ  第１の電源経路
５４  引き出し口
５８  第２の電源経路
６０  外側カバー
６０ａ  凹部
６０ｂ  手動発電装置のハンドル用の穴
６１  手動／電動切替えスイッチ手段
６２  選択スイッチ手段
６４  外側カバーを外した際のフットボードの凹部
６６  メカニカルワイヤ
６８  中継ボックス
７０  中継ボックス
【図１】
2013187412.tif 000003
【図２】
2013187412.tif 000004
【図３】
2013187412.tif 000005
【図４】
2013187412.tif 000006
【図５】
2013187412.tif 000007
【図６】
2013187412.tif 000008
【図７】
2013187412.tif 000009
【図８】
2013187412.tif 000010
【図９】
2013187412.tif 000011
【図１０】
2013187412.tif 000012
【図１１】
2013187412.tif 000013
【図１２】
2013187412.tif 000014
【図１３】
2013187412.tif 000015
【図１４】
2013187412.tif 000016
【図１５】
2013187412.tif 000017
【図１６】
2013187412.tif 000018
【図１７】
2013187412.tif 000019
【図１８】
2013187412.tif 000020
【図１９】
2013187412.tif 000021
【図２０】
2013187412.tif 000022
【図２１】
2013187412.tif 000023
【図２２】
2013187412.tif 000024
【図２３】
2013187412.tif 000025
【国際調査報告】
2013187412.tif 000026
2013187412.tif 000027
2013187412.tif 000028
2013187412.tif 000029